(57)【要約】【課題】「ＳＲＶＣＣ」において、音声通信の一時的な遮断を回避する。【解決手段】本発明に係る移動通信システムは、ＧＥＲＡＮ/ＵＴＲＡＮ配下のセルに在圏する移動局ＵＥ＃１とＭＳＣサーバ/ＭＧＷとの間の区間におけるＣＳベアラ及びＭＳＣサーバ/ＭＧＷと移動局ＵＥ＃２との間の区間におけるＰＳベアラを用いて、移動局ＵＥ＃１と移動局ＵＥ＃２との間の音声通信を提供するように構成されている。【選択図】図４
2011233987.tif 000002
【特許請求の範囲】
【請求項１】
回線交換通信をサポートしていない第１通信方式の無線アクセスシステムと、該第１通信方式の無線アクセスシステムを収容する移動伝達ネットワークと、回線交換通信をサポートしている第２通信方式の無線アクセスシステムと、該第２通信方式の無線アクセスシステムを収容する第２通信方式のコアネットワークとを具備する移動通信システムであって、
前記第２通信方式の無線アクセスシステム配下のセルに在圏する第１移動局と前記コアネットワーク内のサーバ装置との間の区間における回線交換通信用ベアラ及び該サーバ装置と第２移動局との間の区間におけるパケット交換通信用ベアラを用いて、該第１移動局と該第２移動局との間の音声通信を提供するように構成されていることを特徴とする移動通信システム。
【請求項２】
前記第１移動局が、前記第２通信方式の無線アクセスシステム配下のセルから前記第１通信方式の無線アクセスシステム配下のセルへのハンドオーバを行う際に、前記第１移動局と前記サーバ装置との間の区間における回線交換通信用ベアラ及び該サーバ装置と前記移動伝達ネットワーク内のゲートウェイ装置との間の区間におけるパケット交換通信用ベアラの代わりに、該第１移動局と該ゲートウェイ装置との間の区間におけるパケット交換通信用ベアラを用いて、前記音声通信を提供するように切り替えることを特徴とする請求項１に記載の移動通信システム。
【請求項３】
前記第１移動局が、前記第２通信方式の無線アクセスシステム配下のセルから前記第１通信方式の無線アクセスシステム配下のセルへのハンドオーバを行う際に、前記第１移動局と前記サーバ装置との間の区間における回線交換通信用ベアラの代わりに、該第１移動局と該サーバ装置との間の区間におけるパケット交換通信用ベアラを用いて、前記音声通信を提供するように切り替えることを特徴とする請求項１に記載の移動通信システム。
【請求項４】
前記第１移動局の位置登録手順において、所定条件を満たすと判定された場合にのみ、前記回線交換通信用ベアラ及び前記パケット交換通信用ベアラを用いて、前記音声通信を提供するように構成されていることを特徴とする請求項１乃至３のいずれか一項に記載の移動通信システム。
【請求項５】
回線交換通信をサポートしていない第１通信方式の無線アクセスシステムと、該第１通信方式の無線アクセスシステムを収容する移動伝達ネットワークと、回線交換通信をサポートしている第２通信方式の無線アクセスシステムと、該第２通信方式の無線アクセスシステムを収容する第２通信方式のコアネットワークとを具備する移動通信システムにおいて、該コアネットワーク内に設けられているサーバ装置であって、
前記第２通信方式の無線アクセスシステム配下のセルに在圏する第１移動局との間の区間における回線交換通信用ベアラ及び第２移動局との間の区間におけるパケット交換通信用ベアラを用いて、該第１移動局と該第２移動局との間の音声通信を提供するように構成されていることを特徴とするサーバ装置。
【請求項６】
前記第１移動局が、前記第２通信方式の無線アクセスシステム配下のセルから前記第１通信方式の無線アクセスシステム配下のセルへのハンドオーバを行う際に、前記第１移動局との間の区間における回線交換通信用ベアラの代わりに、該第１移動局との間の区間におけるパケット交換通信用ベアラを用いて、前記音声通信を提供するように切り替えることを特徴とする請求項５に記載のサーバ装置。
【発明の詳細な説明】
【技術分野】
【０００１】
本発明は、移動通信システム及びサーバ装置に関する。
【背景技術】
【０００２】
従来、２Ｇ/３Ｇ方式の無線アクセスシステム（ＧＥＲＡＮ：ＧＳＭ  ＥＤＧＥ  Ｒａｄｉｏ  Ａｃｃｅｓｓ  Ｎｅｔｗｏｒｋ/ＵＴＲＡＮ：Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）及びＬＴＥ（Ｌｏｎｇ  Ｔｅｒｍ  Ｅｖｏｌｕｔｉｏｎ）方式の無線アクセスシステム（Ｅ-ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）を収容可能な移動通信システムが知られている。
【０００３】
かかる移動通信システムにおいて、ＣＳ（Ｃｉｒｓｕｉｔ  Ｓｗｉｔｃｈ、回線交換）ドメインで実施している音声通信を、ＰＳ（Ｐａｃｋｅｔ  Ｓｗｉｔｃｈ、パケット交換）ドメインで実施するように切り替えることによって（すなわち、ＩＭＳ（ＩＰ  Ｍｕｌｔｉｍｅｄｉａ  Ｓｕｂｓｙｓｔｅｍ）を用いたＶｏＩＰ通信に切り替えることによって）音声通信を継続可能とする技術、すなわち、「ＳＲＶＣＣ（Ｓｉｎｇｌｅ  Ｒａｄｉｏ  Ｖｏｉｃｅ  Ｃａｌｌ  Ｃｏｎｔｉｎｕｉｔｙ）」が知られている（非特許文献１参照）。図１２に、かかる移動通信システムの動作について示す。
【先行技術文献】
【非特許文献】
【０００４】
【非特許文献１】３ＧＰＰ  ＴＲ２３.８８５
【発明の概要】
【発明が解決しようとする課題】
【０００５】
しかしながら、かかる移動通信システムでは、移動局ＵＥが無線通信を行うセルをＣＳドメイン内のセルからＩＭＳ通信が可能なＰＳドメイン内のセルに切り替えた後に、ＩＭＳを用いたＶｏＩＰ通信用の音声信号を送受信するためのＰＳベアラが確保されるように構成されているため、音声通信が一時的に遮断されてしまうという問題点があった。
【０００６】
具体的には、図１２に示すように、ステップ７ａにおいて、移動局ＵＥが無線通信を行うセルをＣＳドメイン内のセルからＩＭＳ通信が可能なＰＳドメイン内のセルに切り替えた後に、ステップ８乃至ステップ１４において、ＩＭＳを用いたＶｏＩＰ通信用の音声信号を送受信するためのＰＳベアラが確保されるため、ステップ８乃至ステップ１４の間で、音声通信が一時的に遮断されてしまうという問題点があった。
【０００７】
そこで、本発明は、上述の課題に鑑みてなされたものであり、「ＳＲＶＣＣ」において、音声通信の一時的な遮断を回避することができる移動通信システム及びサーバ装置を提供することを目的とする。
【課題を解決するための手段】
【０００８】
本発明の第１の特徴は、回線交換通信をサポートしていない第１通信方式の無線アクセスシステムと、該第１通信方式の無線アクセスシステムを収容する移動伝達ネットワークと、回線交換通信をサポートしている第２通信方式の無線アクセスシステムと、該第２通信方式の無線アクセスシステムを収容する第２通信方式のコアネットワークとを具備する移動通信システムであって、前記第２通信方式の無線アクセスシステム配下のセルに在圏する第１移動局と前記コアネットワーク内のサーバ装置との間の区間における回線交換通信用ベアラ及び該サーバ装置と第２移動局との間の区間におけるパケット交換通信用ベアラを用いて、該第１移動局と該第２移動局との間の音声通信を提供するように構成されていることを要旨とする。
【０００９】
本発明の第２の特徴は、回線交換通信をサポートしていない第１通信方式の無線アクセスシステムと、該第１通信方式の無線アクセスシステムを収容する移動伝達ネットワークと、回線交換通信をサポートしている第２通信方式の無線アクセスシステムと、該第２通信方式の無線アクセスシステムを収容する第２通信方式のコアネットワークとを具備する移動通信システムにおいて、該コアネットワーク内に設けられているサーバ装置であって、前記第２通信方式の無線アクセスシステム配下のセルに在圏する第１移動局との間の区間における回線交換通信用ベアラ及び第２移動局との間の区間におけるパケット交換通信用ベアラを用いて、該第１移動局と該第２移動局との間の音声通信を提供するように構成されていることを要旨とする。
【発明の効果】
【００１０】
以上説明したように、本発明によれば、「ＳＲＶＣＣ」において、音声通信の一時的な遮断を回避することができる移動通信システム及びサーバ装置を提供することができる。
【図面の簡単な説明】
【００１１】
【図１】本発明の第１の実施形態に係る移動通信システムの全体構成図である。
【図２】本発明の第１の実施形態に係る移動通信システムにおける位置登録手順を示すシーケンス図である。
【図３】本発明の第１の実施形態に係る移動通信システムにおける位置登録手順を示すシーケンス図である。
【図４】本発明の第１の実施形態に係る移動通信システムにおける発信手順を示すシーケンス図である。
【図５】本発明の第１の実施形態に係る移動通信システムにおける着信手順を示すシーケンス図である。
【図６】本発明の第１の実施形態に係る移動通信システムにおけるハンドオーバ手順を示すシーケンス図である。
【図７】本発明の第２の実施形態に係る移動通信システムの全体構成図である。
【図８】本発明の第２の実施形態に係る移動通信システムにおけるハンドオーバ手順を示すシーケンス図である。
【図９】本発明の第３の実施形態に係る移動通信システムの全体構成図である。
【図１０】本発明の第３の実施形態に係る移動通信システムにおける発信手順を示すシーケンス図である。
【図１１】本発明の第３の実施形態に係る移動通信システムにおけるハンドオーバ手順を示すシーケンス図である。
【図１２】従来の移動通信システムにおける動作を示すシーケンス図である。
【発明を実施するための形態】
【００１２】
（本発明の第１の実施形態に係る移動通信システム）
図１乃至図６を参照して、本発明の第１の実施形態に係る移動通信システムについて説明する。
【００１３】
図１に示すように、本実施形態に係る移動通信システムは、Ｅ-ＵＴＲＡＮ及び移動伝達ネットワークを含むＥＰＳ（Ｅｖｏｌｖｅｄ  Ｐａｃｋｅｔ  Ｓｙｓｔｅｍ）と、ＧＥＲＡＮ/ＵＴＲＡＮ及び２Ｇ/３Ｇ方式のコアネットワークを含む２Ｇ/３Ｇ方式のシステムと、ＩＭＳ（サービス制御ネットワーク）とを具備している。
【００１４】
Ｅ-ＵＴＲＡＮには、ｅＮｏｄｅＢ（無線基地局）が配置されており、ＧＥＲＡＮ/ＵＴＲＡＮには、ＮｏｄｅＢ/ＢＳＳ（無線基地局）（不図示）及びＲＮＣ（無線回線制御局）が配置されている。
【００１５】
移動伝達ネットワークには、ＭＭＥ（Ｍｏｂｉｌｉｔｙ  Ｍａｎａｇｅｍｅｎｔ  Ｅｎｔｉｔｙ、移動管理ノード）と、ＳＧＷ（Ｓｅｒｖｉｎｇ-Ｇａｔｅｗａｙ、サービングゲートウェイ装置）と、ＰＧＷ（ＰＤＮ-Ｇａｔｅｗａｙ）と、ＨＳＳ（Ｈｏｍｅ  Ｓｕｂｓｃｒｉｂｅｒ  Ｓｅｒｖｅｒ）/ＨＬＲ（Ｈｏｍｅ  Ｌｏｃａｔｉｏｎ  Ｒｅｇｉｓｔｅｒ）（不図示）とが配置されている。
【００１６】
ここで、ＭＭＥやＳＧＷは、移動局ＵＥ＃１の在圏ネットワークに配置されており、ＰＧＷ及びＨＳＳ/ＨＬＲは、移動局ＵＥ＃１のホームネットワークに配置されている。
【００１７】
２Ｇ/３Ｇ方式のコアネットワークには、ＭＳＣ（Ｍｏｂｉｌｅ-ｓｅｒｖｉｃｅ  Ｓｗｉｔｃｈｉｎｇ  Ｃｅｎｔｅｒ、回線交換機）やＳＧＳＮ（Ｓｅｒｖｉｎｇ  ＧＰＲＳ  Ｓｕｐｐｏｒｔ  Ｎｏｄｅ、パケット交換機）やＭＳＣサーバ/ＭＧＷ（Ｍｅｄｉａ  Ｇａｔｅｗａｙ  ｆｏｒ  ＳＲＶＣＣ、サーバ装置）が配置されている。ここで、ＭＳＣ、ＳＧＳＮ及びＭＳＣサーバ/ＭＧＷは、移動局ＵＥ＃１の在圏ネットワークに配置されている。
【００１８】
なお、ＭＳＣサーバ/ＭＧＷは、制御信号を処理するＭＳＣサーバと、ＶｏＩＰ通信用音声信号と回線交換通信用音声信号との変換等を実施するＭＧＷとに分離されていてもよい。
【００１９】
ＩＭＳには、ＣＳＣＦ（Ｃａｌｌ  Ｓｅｓｓｉｏｎ  Ｃｏｎｔｒｏｌ  Ｆｕｎｃｔｉｏｎ）や、ＳＣＣ  ＡＳ（Ｓｅｒｖｉｃｅ  Ｃｅｎｔｒａｌｉｚａｔｉｏｎ  ａｎｄ  Ｃｏｎｔｉｎｕｉｔｙ  Ａｐｐｌｉｃａｔｉｏｎ  Ｓｅｒｖｅｒ）等が配置されている。
【００２０】
また、本実施形態に係る移動通信システムは、ＧＥＲＡＮ/ＵＴＲＡＮ配下のセルに在圏する移動局ＵＥ＃１とＭＳＣサーバ/ＭＧＷとの間の区間におけるＣＳベアラ（回線交換通信用ベアラ）＃１１/＃１２及びＭＳＣサーバ/ＭＧＷと移動局ＵＥ＃２との間の区間におけるＰＳベアラ（パケット交換通信用ベアラ）＃１１/＃１２/＃１３を用いて、移動局ＵＥ＃１と移動局ＵＥ＃２との間の音声通信を提供することができるように構成されている。
【００２１】
具体的には、本実施形態に係る移動通信システムは、移動局ＵＥ＃１の位置登録手順において、後述する所定条件を満たすと判定された場合にのみ、上述のＣＳベアラ＃１１/＃１２及びＰＳベアラ＃１１/＃１２/＃１３を用いて、ＧＥＲＡＮ/ＵＴＲＡＮ配下のセルに在圏する移動局ＵＥ＃１と移動局ＵＥ＃２との間の音声通信（ｒＳＲＶＣＣ（ｒｅｖｅｒｓｅ  Ｓｉｎｇｌｅ  Ｒａｄｉｏ  Ｖｏｉｃｅ  Ｃａｌｌ  Ｃｏｎｔｉｎｕｉｔｙ）を用いた音声通信）を提供するように構成されていてもよい。
【００２２】
一方、本実施形態に係る移動通信システムは、移動局ＵＥ＃１の位置登録手順において、後述する所定条件を満たさないと判定された場合には、移動局ＵＥ＃１と移動局ＵＥ＃２との間の区間におけるＣＳベアラを用いて、ＧＥＲＡＮ/ＵＴＲＡＮ配下のセルに在圏する移動局ＵＥ＃１と移動局ＵＥ＃２との間の音声通信（通常の音声通信）を提供するように構成されていてもよい。
【００２３】
また、本実施形態に係る移動通信システムは、移動局ＵＥ＃１が、ＧＥＲＡＮ/ＵＴＲＡＮ配下のセルからＥ-ＵＴＲＡＮ配下のセルへのハンドオーバを行う際に、移動局ＵＥ＃１とＭＳＣサーバ/ＭＧＷとの間の区間におけるＣＳベアラ＃１１/＃１２及びＭＳＣサーバ/ＭＧＷとＳＧＷとの間の区間におけるＰＳベアラ＃１１の代わりに、移動局ＵＥ＃１とＳＧＷとの間の区間におけるＰＳベアラ＃２１/＃２２を用いて、移動局ＵＥ＃１と移動局ＵＥ＃２との間の音声通信（ＶｏＩＰ通信）を提供するように切り替えてもよい。
【００２４】
以下、図２乃至図６を参照して、本実施形態に係る移動通信システムの具体的な動作について説明する。
【００２５】
第１に、図２を参照して、本実施形態に係る移動通信システムにおける移動局ＵＥ＃１のＥ-ＵＴＲＡＮへの位置登録手順（Ａｔｔａｃｈ手順を含む）について説明する。
【００２６】
図２に示すように、ステップ２において、移動局ＵＥ＃１は、ｅＮｏｄｅＢに対して、「ｒＳＲＶＣＣ  Ｃａｐａｂｉｌｉｔｙ  Ｉｎｄｉｃａｔｉｏｎ」を含む「ＴＡＵ  Ｒｅｑｕｅｓｔ」を送信する。
【００２７】
ここで、「ｒＳＲＶＣＣ  Ｃａｐａｂｉｌｉｔｙ  Ｉｎｄｉｃａｔｉｏｎ」は、移動局ＵＥがｒＳＲＶＣＣを用いた音声通信に対応可能であるか否かについて示す情報である。
【００２８】
ステップ３において、ｅＮｏｄｅＢは、Ｔ-ＭＭＥ（位置登録先のＭＭＥ）に対して、「ｒＳＲＶＣＣ  Ｃａｐａｂｉｌｉｔｙ  Ｉｎｄｉｃａｔｉｏｎ」を含む「ＴＡＵ  Ｒｅｑｕｅｓｔ」を送信する。
【００２９】
その後、ステップ１２において、Ｔ-ＭＭＥは、ＨＳＳに対して、「ｒＳＲＶＣＣ  Ｃａｐａｂｉｌｉｔｙ  Ｉｎｄｉｃａｔｉｏｎ」を含む「Ｕｐｄａｔｅ  Ｌｏｃａｔｉｏｎ」を送信する。
【００３０】
ここで、ＨＳＳは、受信した「Ｕｐｄａｔｅ  Ｌｏｃａｔｉｏｎ」に含まれる「ｒＳＲＶＣＣ  Ｃａｐａｂｉｌｉｔｙ  Ｉｎｄｉｃａｔｉｏｎ」及び移動局ＵＥ＃１の加入者情報等に基づいて、所定条件を満たすか否かについて、すなわち、移動局ＵＥ＃１に対してｒＳＲＶＣＣを用いた音声通信を提供可能であるか否かについて判定する。
【００３１】
ＨＳＳは、所定条件を満たすと判定した場合、すなわち、移動局ＵＥ＃１に対してｒＳＲＶＣＣを用いた音声通信を提供可能であると判定した場合に、ステップ１７において、Ｔ-ＭＭＥに対して、その旨を示す「ｒＳＲＶＣＣ  Ａｌｌｏｗｅｄ  Ｉｎｄｉｃａｔｉｏｎ」を含む「Ｕｐｄａｔｅ  Ｌｏｃａｔｉｏｎ  Ａｃｋ」を送信する。
【００３２】
一方、ＨＳＳは、所定条件を満たさないと判定した場合、すなわち、移動局ＵＥ＃１に対してｒＳＲＶＣＣを用いた音声通信を提供可能でないと判定した場合に、ステップ１７において、Ｔ-ＭＭＥに対して、「ｒＳＲＶＣＣ  Ａｌｌｏｗｅｄ  Ｉｎｄｉｃａｔｉｏｎ」を含まない、或いは、ｒＳＲＶＣＣを用いた音声通信を提供可能でない旨を示す「Ｕｐｄａｔｅ  Ｌｏｃａｔｉｏｎ  Ａｃｋ」を送信する。
【００３３】
Ｔ-ＭＭＥは、「Ｕｐｄａｔｅ  Ｌｏｃａｔｉｏｎ  Ａｃｋ」内に「ｒＳＲＶＣＣ  Ａｌｌｏｗｅｄ  Ｉｎｄｉｃａｔｉｏｎ」が含まれている場合に、ステップ２０において、移動局ＵＥ＃１に対して、ｒＳＲＶＣＣを用いた音声通信を提供可能である旨を示す「ＴＡＵ  Ａｃｃｅｐｔ」を送信する。
【００３４】
一方、Ｔ-ＭＭＥは、「Ｕｐｄａｔｅ  Ｌｏｃａｔｉｏｎ  Ａｃｋ」内に「ｒＳＲＶＣＣ  Ａｌｌｏｗｅｄ  Ｉｎｄｉｃａｔｉｏｎ」が含まれていない場合、或いは、ｒＳＲＶＣＣを用いた音声通信を提供可能でない旨を示す場合に、ステップ２０において、移動局ＵＥ＃１に対して、ｒＳＲＶＣＣを用いた音声通信を提供可能でない旨を示す「ＴＡＵ  Ａｃｃｅｐｔ」、或いは、既存の「ＴＡＵ  Ａｃｃｅｐｔ」を送信する。
【００３５】
移動局ＵＥ＃１は、受信した「ＴＡＵ  Ａｃｃｅｐｔ」に基づいて、かかる移動通信システムにおいて、ｒＳＲＶＣＣを用いた音声通信を行うことができるか否かについて管理する。
【００３６】
第２に、図３を参照して、本実施形態に係る移動通信システムにおける移動局ＵＥ＃１のＧＥＲＡＮ/ＵＴＲＡＮへの位置登録手順（Ａｔｔａｃｈ手順を含む）について説明する。
【００３７】
図３に示すように、ステップ１において、移動局ＵＥ＃１は、Ｔ-ＳＧＳＮ（位置登録先のＳＧＳＮ）に対して、「ｒＳＲＶＣＣ  Ｃａｐａｂｉｌｉｔｙ  Ｉｎｄｉｃａｔｉｏｎ」を含む「Ｒｏｕｔｉｎｇ  Ａｒｅａ  Ｕｐｄａｔｅ  Ｒｅｑｕｅｓｔ」を送信する。
【００３８】
その後、ステップ７において、Ｔ-ＳＧＳＮは、ＨＬＲに対して、「ｒＳＲＶＣＣ  Ｃａｐａｂｉｌｉｔｙ  Ｉｎｄｉｃａｔｉｏｎ」を含む「Ｕｐｄａｔｅ  Ｌｏｃａｔｉｏｎ」を送信する。
【００３９】
ここで、ＨＬＲは、受信した「Ｕｐｄａｔｅ  Ｌｏｃａｔｉｏｎ」に含まれる「ｒＳＲＶＣＣ  Ｃａｐａｂｉｌｉｔｙ  Ｉｎｄｉｃａｔｉｏｎ」及び移動局ＵＥ＃１の加入者情報等に基づいて、所定条件を満たすか否かについて、すなわち、移動局ＵＥ＃１に対してｒＳＲＶＣＣを用いた音声通信を提供可能であるか否かについて判定する。
【００４０】
ＨＬＲは、所定条件を満たすと判定した場合、すなわち、移動局ＵＥ＃１に対してｒＳＲＶＣＣを用いた音声通信を提供可能であると判定した場合に、ステップ９において、Ｔ-ＳＧＳＮに対して、その旨を示す「ｒＳＲＶＣＣ  Ａｌｌｏｗｅｄ  Ｉｎｄｉｃａｔｉｏｎ」を含む「Ｉｎｓｅｒｔ  Ｓｕｂｓｃｒｉｂｅｒ  Ｄａｔａ」を送信する。
【００４１】
一方、ＨＬＲは、所定条件を満たさないと判定した場合、すなわち、移動局ＵＥ＃１に対してｒＳＲＶＣＣを用いた音声通信を提供可能でないと判定した場合に、ステップ１７において、Ｔ-ＳＧＳＮに対して、「ｒＳＲＶＣＣ  Ａｌｌｏｗｅｄ  Ｉｎｄｉｃａｔｉｏｎ」を含まない、或いは、ｒＳＲＶＣＣを用いた音声通信を提供可能でない旨を示す「Ｉｎｓｅｒｔ  Ｓｕｂｓｃｒｉｂｅｒ  Ｄａｔａ」を送信する。
【００４２】
Ｔ-ＳＧＳＮは、「Ｉｎｓｅｒｔ  Ｓｕｂｓｃｒｉｂｅｒ  Ｄａｔａ」内に「ｒＳＲＶＣＣ  Ａｌｌｏｗｅｄ  Ｉｎｄｉｃａｔｉｏｎ」が含まれている場合に、ステップ１１において、移動局ＵＥ＃１に対して、ｒＳＲＶＣＣを用いた音声通信を提供可能である旨を示す「Ｒｏｕｔｉｎｇ  Ａｒｅａ  Ｕｐｄａｔｅ  Ａｃｃｅｐｔ」を送信する。
【００４３】
一方、Ｔ-ＳＧＳＮは、「Ｉｎｓｅｒｔ  Ｓｕｂｓｃｒｉｂｅｒ  Ｄａｔａ」内に「ｒＳＲＶＣＣ  Ａｌｌｏｗｅｄ  Ｉｎｄｉｃａｔｉｏｎ」が含まれていない場合に、ステップ２０において、移動局ＵＥ＃１に対して、ｒＳＲＶＣＣを用いた音声通信を提供可能でない旨を示す「Ｒｏｕｔｉｎｇ  Ａｒｅａ  Ｕｐｄａｔｅ  Ａｃｃｅｐｔ」、或いは、既存の「Ｒｏｕｔｉｎｇ  Ａｒｅａ  Ｕｐｄａｔｅ  Ａｃｃｅｐｔ」を送信する。
【００４４】
移動局ＵＥ＃１は、受信した「Ｒｏｕｔｉｎｇ  Ａｒｅａ  Ｕｐｄａｔｅ  Ａｃｃｅｐｔ」に基づいて、かかる移動通信システムにおいて、ｒＳＲＶＣＣを用いた音声通信を行うことができるか否かについて管理する。
【００４５】
第３に、図４を参照して、本実施形態に係る移動通信システムにおける移動局ＵＥ＃１の発信手順について説明する。
【００４６】
図４に示すように、ステップ１において、移動局ＵＥ＃１は、ＩＭＳ内のＳＣＣ  ＡＳに対して、ｒＳＲＶＣＣを実施することを示す「ｒＳＲＶＣＣ  ｆｌａｇ」を含むＳＩＰ信号「ＩＮＶＩＴＥ」を送信する。
【００４７】
ＳＣＣ  ＡＳは、受信したＳＩＰ信号「ＩＮＶＩＴＥ」に含まれる「ｒＳＲＶＣＣ  ｆｌａｇ」に応じて、ｒＳＲＶＣＣを実施することを認識し、後述のステップ７で送信される「ＰＳ  ｓｅｓｓｉｏｎ  ｉｎｆｏｒｍａｔｉｏｎ」の到着を待ちつつ、移動局ＵＥ＃２に対して、かかるＳＩＰ信号「ＩＮＶＩＴＥ」を送信する。
【００４８】
ステップ２において、ＳＣＣ  ＡＳは、移動局ＵＥ＃２によって送信された「１８３  Ｓｅｓｓｉｏｎ  Ｐｒｏｇｒｅｓｓ」を、移動局ＵＥ＃１に対して送信する。
【００４９】
ステップ３において、移動局ＵＥ＃１は、ＭＳＣに対して、ＭＳＣサーバ/ＭＧＷを識別するための「ＳＲＶＣＣ  ＭＳＣ＃」を含む「Ｓｅｔｕｐ」を送信し、ステップ４において、ＭＳＣは、ＭＳＣサーバ/ＭＧＷに対して、ＭＳＣサーバ/ＭＧＷに到達することを目的に「ＳＲＶＣＣ  ＭＳＣ＃」を着信番号（Ｃａｌｌｅｄ＃）として含む「ＩＡＭ」を送信する。
【００５０】
なお、移動局ＵＥ＃１は、「ＳＲＶＣＣ  ＭＳＣ＃」の代わりに、ｒＳＲＶＣＣの起動を示す情報要素を設定してもよい。かかる場合、ＭＳＣは、所定動作に基づいて、ＭＳＣサーバ/ＭＧＷを選択するように構成されていてもよい。
【００５１】
ここで、ＭＳＣ及びＭＳＣサーバ/ＭＧＷは、別々の装置であってもよいし、併合された１つの装置であってもよい。
【００５２】
ステップ５において、ＭＳＣサーバ/ＭＧＷは、ＭＳＣに対して、「ＡＮＳ」を送信し、ステップ６において、ＭＳＣは、移動局ＵＥ＃１に対して、「Ｃｏｎｎｅｃｔ」を送信する。
【００５３】
また、ステップ７において、ＳＣＣ  ＡＳに対して、ＭＳＣサーバ/ＭＧＷのＩＰアドレスを示す「ＭＧＷ  ＩＰ  ａｄｄｒｅｓｓ」及び移動局ＵＥ＃１の識別情報を示す「Ｐｕｂｌｉｃ  Ｕｓｅｒ  Ｉｄｅｎｔｉｔｙ」を含む「ＰＳ  ｓｅｓｓｉｏｎ  ｉｎｆｏｒｍａｔｉｏｎ」を送信する。
【００５４】
この結果、移動局ＵＥ＃１とＭＳＣとの間でＣＳベアラ＃１１が設定され、ＭＳＣとＭＳＣサーバ/ＭＧＷとの間でＣＳベアラ＃１２が設定される。
【００５５】
なお、ステップ１及び２からなる処理Ａ及びステップ３乃至７からなる処理Ｂは、順番に行われてもよいし、並行して行われてもよい。
【００５６】
ステップ８において、ＳＣＣ  ＡＳは、ＰＣＲＦ（Ｐｏｌｉｃｙ  Ｃｈａｒｇｅ  ＆  Ｒｕｌｅ  Ｆｕｎｃｔｉｏｎ）に対して、「ＳＤＰ  ｒｅｌａｔｅｄ  ｉｎｆｏｒｍａｔｉｏｎ」と「ＭＧＷ  ＩＰ  ａｄｄｒｅｓｓ」と「Ｐｕｂｌｉｃ  Ｕｓｅｒ  Ｉｄｅｎｔｉｔｙ」とを含む「Ａｐｐｌｉｃａｔｉｏｎ  ｌｅｖｅｌ  ｒｅｑｕｅｓｔ」を送信する。
【００５７】
ここで、「ＳＤＰ  ｒｅｌａｔｅｄ  ｉｎｆｏｒｍａｔｉｏｎ」は、例えば、移動局ＵＥ＃１と移動局ＵＥ＃２との間の音声通信（ＶｏＩＰ通信）で用いられるコーデック情報や、かかるＶｏＩＰ通信で用いる移動局ＵＥ＃２側のＩＰアドレスやポート番号等を含む情報である。
【００５８】
ステップ９において、ＰＣＲＦは、ＰＧＷに対して、「ＳＤＰ  ｒｅｌａｔｅｄ  ｉｎｆｏｒｍａｔｉｏｎ」と「ＭＧＷ  ＩＰ  ａｄｄｒｅｓｓ」と「Ｐｕｂｌｉｃ  Ｕｓｅｒ  Ｉｄｅｎｔｉｔｙ」とを含む「ＩＰ  ＣＡＮ  Ｓｅｓｓｉｏｎ  Ｒｅｑｕｅｓｔ」を送信する。
【００５９】
ステップ１０において、ＰＧＷは、ＳＧＷに対して、「ＳＤＰ  ｒｅｌａｔｅｄ  ｉｎｆｏｒｍａｔｉｏｎ」と「ＭＧＷ  ＩＰ  ａｄｄｒｅｓｓ」と「Ｐｕｂｌｉｃ  Ｕｓｅｒ  Ｉｄｅｎｔｉｔｙ」とを含む「Ｃｒｅａｔｅ  Ｂｅａｒｅｒ  Ｒｅｑｕｅｓｔ」を送信する。
【００６０】
なお、ＰＧＷとＳＧＷとの間の区間においてＰＭＩＰプロトコルが適用される場合、ＳＧＷは、ＰＣＲＦから、「ＳＤＰ  ｒｅｌａｔｅｄ  ｉｎｆｏｒｍａｔｉｏｎ」と「ＭＧＷ  ＩＰ  ａｄｄｒｅｓｓ」と「Ｐｕｂｌｉｃ  Ｕｓｅｒ  Ｉｄｅｎｔｉｔｙ」とを含む「Ｇａｔｅｗａｙ  Ｃｏｎｔｒｏｌ  ａｎｄ  ＱｏＳ  Ｒｕｌｅｓ  Ｐｒｏｖｉｓｉｏｎ」を受信する。
【００６１】
ここで、ＳＧＷは、受信した「ＭＧＷ  ＩＰ  ａｄｄｒｅｓｓ」及び「Ｐｕｂｌｉｃ  Ｕｓｅｒ  Ｉｄｅｎｔｉｔｙ」等に基づいて、ｒＳＲＶＣＣを実施することを判断し、ＳＧＷのＩＰアドレス及びＴＥＩＤ（Ｔｕｎｎｅｌ  Ｅｎｄｐｏｉｎｔ  Ｉｄｅｎｔｉｆｉｅｒ）を割り当てる。
【００６２】
なお、ＴＥＩＤは、移動局ＵＥ＃１と移動局ＵＥ＃２との間の音声通信における上り方向の音声信号を送信するためのトンネルに対して割り当てられたＳＧＷ側のＴＥＩＤである。
【００６３】
ステップ１１において、ＳＧＷは、ＳＧＳＮに対して、「ＳＤＰ  ｒｅｌａｔｅｄ  ｉｎｆｏｒｍａｔｉｏｎ」と「ＭＧＷ  ＩＰ  ａｄｄｒｅｓｓ」と「Ｐｕｂｌｉｃ  Ｕｓｅｒ  Ｉｄｅｎｔｉｔｙ」と「ＳＧＷ  ＩＰ  ａｄｄｒｅｓｓ」と「ＴＥＩＤ  ｆｏｒ  ＶｏＩＰ  ｍｅｄｉａ」とを含む「Ｃｒｅａｔｅ  Ｂｅａｒｅｒ  Ｒｅｑｕｅｓｔ」を送信する。
【００６４】
ここで、「ＳＧＷ  ＩＰ  ａｄｄｒｅｓｓ」は、上述のＳＧＷのＩＰアドレスを示し、「ＴＥＩＤ  ｆｏｒ  ＶｏＩＰ  ｍｅｄｉａ」は、上述のＴＥＩＤを示す。
【００６５】
なお、ＳＧＳＮは、受信した「ＭＧＷ  ＩＰ  ａｄｄｒｅｓｓ」及び「Ｐｕｂｌｉｃ  Ｕｓｅｒ  Ｉｄｅｎｔｉｔｙ」等に基づいて、ｒＳＲＶＣＣを実施することを判断する。
【００６６】
ステップ１２において、ＳＧＳＮは、ＭＳＣサーバ/ＭＧＷに対して、「ＳＤＰ  ｒｅｌａｔｅｄ  ｉｎｆｏｒｍａｔｉｏｎ」と「Ｐｕｂｌｉｃ  Ｕｓｅｒ  Ｉｄｅｎｔｉｔｙ」と「ＳＧＷ  ＩＰ  ａｄｄｒｅｓｓ」と「ＴＥＩＤ  ｆｏｒ  ＶｏＩＰ  ｍｅｄｉａ」とを含む「Ｃｒｅａｔｅ  ＣＳ  Ｓｅｓｓｉｏｎ  Ｒｅｑｕｅｓｔ」を送信する。
【００６７】
なお、ＭＳＣサーバ/ＭＧＷは、かかる「Ｐｕｂｌｉｃ  Ｕｓｅｒ  Ｉｄｅｎｔｉｔｙ」を用いて、ＣＳベアラ＃１１/＃１２とＰＳベアラ＃１１/＃１２/＃１３との間のマッピングを行う。
【００６８】
また、ＭＳＣサーバ/ＭＧＷは、「ＳＤＰ  ｒｅｌａｔｅｄ  ｉｎｆｏｒｍａｔｉｏｎ」内にあるＶｏＩＰ通信に用いられるコーデック情報より、必要に応じて、ＣＳベアラ＃１１/＃１２とＰＳベアラ＃１１/＃１２/＃１３との間のマッピングに必要なトランスコーダーを挿入する。
【００６９】
ステップ１３において、ＭＳＣサーバ/ＭＧＷは、ＳＧＳＮに対して、「ＭＧＷ  ＩＰ  ａｄｄｒｅｓｓ」と「ＴＥＩＤ  ｆｏｒ  ＶｏＩＰ  ｍｅｄｉａ」とを含む「Ｃｒｅａｔｅ  ＣＳ  Ｓｅｓｓｉｏｎ  Ｒｅｓｐｏｎｓｅ」を送信する。
【００７０】
ここで、「ＴＥＩＤ  ｆｏｒ  ＶｏＩＰ  ｍｅｄｉａ」は、移動局ＵＥ＃１と移動局ＵＥ＃２との間の音声通信における下り方向の音声信号を送信するためのトンネルに対して割り当てられたＭＳＣサーバ/ＭＧＷ側のＴＥＩＤである。
【００７１】
ステップ１４において、ＳＧＳＮは、ＳＧＷに対して、「ＭＧＷ  ＩＰ  ａｄｄｒｅｓｓ」と「ＴＥＩＤ  ｆｏｒ  ＶｏＩＰ  ｍｅｄｉａ」とを含む「Ｃｒｅａｔｅ  ＣＳ  Ｓｅｓｓｉｏｎ  Ｒｅｓｐｏｎｓｅ」を送信する。
【００７２】
ステップ１５において、ＳＧＷは、ＰＧＷに対して、「ＭＧＷ  ＩＰ  ａｄｄｒｅｓｓ」と「ＴＥＩＤ  ｆｏｒ  ＶｏＩＰ  ｍｅｄｉａ」とを含む「Ｃｒｅａｔｅ  ＣＳ  Ｓｅｓｓｉｏｎ  Ｒｅｓｐｏｎｓｅ」を送信する。
【００７３】
この結果、ＭＳＣサーバ/ＭＧＷとＳＧＷとの間でＰＳベアラ＃１１が設定され、ＳＧＷとＰＧＷとの間でＣＳベアラ＃１２が設定される。
【００７４】
ステップ１６において、ＰＧＷは、ＰＣＲＦに対して、「Ａｃｋ」を送信し、ステップ１７において、ＰＣＲＦは、ＳＣＣ  ＡＳに対して、「Ａｃｋ」を送信し、ステップ１８において、ＳＣＣ  ＡＳは、移動局ＵＥ＃２に対して、「ＵＰＤＡＴＥ」を送信し、ステップ１９において、移動局ＵＥ＃２は、ＳＣＣ  ＡＳに対して、「２００  ＯＫ」を送信する。
【００７５】
この結果、ＰＧＷと移動局ＵＥ＃２との間でＰＳベアラ＃１３が設定される。
【００７６】
第４に、図５を参照して、本実施形態に係る移動通信システムにおける移動局ＵＥ＃１の着信手順について説明する。
【００７７】
図５に示すように、ステップ１において、移動局ＵＥ＃２は、ＩＭＳ内のＳＣＣ  ＡＳに対して、ＳＩＰ信号「ＩＮＶＩＴＥ」を送信し、ＳＣＣ  ＡＳは、移動局ＵＥ＃１に対して、ＳＩＰ信号「ＩＮＶＩＴＥ」を送信する。
【００７８】
ステップ２において、移動局ＵＥ＃１は、ＳＣＣ  ＡＳに対して、ｒＳＲＶＣＣを実施することを示す「ｒＳＲＶＣＣ  ｆｌａｇ」を含む「１８３  Ｓｅｓｓｉｏｎ  Ｐｒｏｇｒｅｓｓ」を送信する。
【００７９】
ＳＣＣ  ＡＳは、受信した「１８３  Ｓｅｓｓｉｏｎ  Ｐｒｏｇｒｅｓｓ」に含まれる「ｒＳＲＶＣＣ  ｆｌａｇ」に応じて、ｒＳＲＶＣＣを実施することを認識し、後述のステップ７で送信される「ＰＳ  ｓｅｓｓｉｏｎ  ｉｎｆｏｒｍａｔｉｏｎ」の到着を待ちつつ、移動局ＵＥ＃２に対して、かかる「１８３  Ｓｅｓｓｉｏｎ  Ｐｒｏｇｒｅｓｓ」を送信する。
【００８０】
以下、ステップ３乃至ステップ１９の動作は、上述の図４に示す動作と同一である。
【００８１】
第５に、図６を参照して、本実施形態に係る移動通信システムにおける移動局ＵＥ＃１のＧＥＲＡＮ/ＵＴＲＡＮ配下のセルからＥ-ＵＴＲＡＮ配下のセルへのハンドオーバ手順について説明する。
【００８２】
図６に示すように、移動局ＵＥ＃１は、Ｅ-ＵＴＲＡＮに対して、指定された周辺セルの測定結果を含む「Ｍｅａｓｕｒｅｍｅｎｔ  Ｒｅｐｏｒｔ」を送信する。
【００８３】
ステップ１において、ＲＮＣは、移動局ＵＥ＃１のＧＥＲＡＮ/ＵＴＲＡＮ配下のセルからＥ-ＵＴＲＡＮ配下のセルへのハンドオーバを行うことを決定すると、ＳＧＳＮに対して、「Ｈａｎｄｏｖｅｒ  Ｒｅｑｕｉｒｅｄ」を送信する。
【００８４】
ステップ２において、ＳＧＳＮは、ＭＭＥに対して、音声通信用のＰＳベアラに関するＥＰＳベアラコンテキストを含む「Ｆｏｒｗａｒｄ  Ｒｅｌｏｃａｔｉｏｎ  Ｒｅｑｕｅｓｔ」を送信する。
【００８５】
また、音声通信用のＰＳベアラに関するＥＰＳベアラコンテキストは、ＰＳベアラ＃１１/＃１２/＃１３に係るコンテキスト情報を示す。
【００８６】
ステップ３において、ＭＭＥは、ｅＮｏｄｅＢに対して、「Ｈａｎｄｏｖｅｒ  Ｒｅｑｕｅｓｔ」を送信する。
【００８７】
ここで、ＭＭＥは、ｅＮｏｄｅＢに対して、「Ｈａｎｄｏｖｅｒ  Ｒｅｑｕｅｓｔ」によって、ＳＧＷとの間のＰＳベアラ＃２１及び移動局ＵＥ＃１との間のＰＳベアラ＃２２用のリソースを確保するように要求する。
【００８８】
ステップ４において、ｅＮｏｄｅＢは、ＭＭＥに対して、「Ｈａｎｄｏｖｅｒ  Ｒｅｑｕｅｓｔ  Ａｃｋ」を送信し、ステップ５において、ＭＭＥは、ＳＧＳＮに対して、「Ｆｏｒｗａｒｄ  Ｒｅｌｏｃａｔｉｏｎ  Ｒｅｓｐｏｎｓｅ」を送信する。
【００８９】
ステップ６において、ＳＧＳＮは、ＳＧＷに対して、「Ｃｒｅａｔｅ  Ｉｎｄｉｒｅｃｔ  Ｄａｔａ  Ｆｏｒｗａｒｄｉｎｇ  Ｔｕｎｎｅｌ  Ｒｅｑｕｅｓｔ」を送信する。
【００９０】
ここで、ＳＧＳＮは、ＳＧＷに対して、「Ｃｒｅａｔｅ  Ｉｎｄｉｒｅｃｔ  Ｄａｔａ  Ｆｏｒｗａｒｄｉｎｇ  Ｔｕｎｎｅｌ  Ｒｅｑｕｅｓｔ」によって、移動局ＵＥ＃１と移動局ＵＥ＃２との間の音声通信で用いられるＰＳベアラを設定するように要求しない。
【００９１】
ステップ７において、ＳＧＷは、ＳＧＳＮに対して、「Ｃｒｅａｔｅ  Ｉｎｄｉｒｅｃｔ  Ｄａｔａ  Ｆｏｒｗａｒｄｉｎｇ  Ｔｕｎｎｅｌ  Ｒｅｓｐｏｎｓｅ」を送信する。
【００９２】
ステップ８において、ＳＧＳＮは、ＲＮＣに対して、「Ｒｅｌｏｃａｔｉｏｎ  Ｃｏｍｍａｎｄ」を送信し、ステップ９において、ＲＮＣは、移動局ＵＥ＃１に対して、「ＨＯ  ｃｏｍｍａｎｄ」を送信する。
【００９３】
ここで、移動局ＵＥ＃１は、Ｅ-ＵＴＲＡＮ配下のセルに移動し、ステップ１１において、ｅＮｏｄｅＢに対して、「ＨＯ  ｔｏ  Ｅ-ＵＴＲＡＮ  ｃｏｍｐｌｅｔｅ」を送信する。この結果、移動局ＵＥ＃１とｅＮｏｄｅＢとの間でＰＳベアラ＃２２が設定される。
【００９４】
一方、ステップ１０において、ＳＧＳＮは、ＭＳＣサーバ/ＭＧＷに対して、「ｅＮＢ  ＩＰ  ａｄｄｒｅｓｓ」及び「ＴＥＩＤ」を含む「Ｒｅｄｉｒｅｃｔｉｏｎ  ｒｅｑｕｅｓｔ」を送信する。
【００９５】
ここで、「ｅＮＢ  ＩＰ  ａｄｄｒｅｓｓ」は、ｅＮｏｄｅＢのＩＰアドレスを示し、「ＴＥＩＤ」は、移動局ＵＥ＃１と移動局ＵＥ＃２との間の音声通信における下り方向の音声信号を送信するためのトンネルに対して割り当てられたｅＮｏｄｅＢ側のＴＥＩＤを示す。
【００９６】
この結果、移動局ＵＥ＃１とｅＮｏｄｅＢとの間でＰＳベアラ＃２２が設定される。
【００９７】
この後、ＭＳＣサーバ/ＭＧＷは、ＰＳベアラ＃１１を介して受信した音声信号（パケット）のｅＮｏｄｅＢに対する転送を開始する。なお、ＭＳＣサーバ/ＭＧＷは、ＰＳベアラ＃１１を介して受信した音声信号（パケット）を、ｅＮｏｄｅＢ及びＭＳＣの両者に転送してもよい。
【００９８】
ＭＳＣサーバ/ＭＧＷは、ステップ１０の信号を受信後、ＭＳＣ向けの音声通信が終了したと判断すると、ＭＳＣに向けてＣＳベアラ＃１１/＃１２の解放処理を開始する。
【００９９】
なお、ＭＳＣ向けの音声通信が終了したか否かについての判断は、ステップ１０の信号の受信直後、又は、一定のタイマー値満了後等に行われる。或いは、移動局ＵＥ＃１がＧＥＲＡＮ/ＵＴＲＡＮより離脱したことを検出したＭＳＣが、ＭＳＣサーバ/ＭＧＷに対して、ＣＳベアラ＃１１/＃１２の解放処理を実施してもよい。
【０１００】
ステップ１２において、ｅＮｏｄｅＢは、ＭＭＥに対して、「ＨＯ  ｎｏｔｉｆｙ」を送信し、ステップ１３において、ＭＭＥは、ＳＧＳＮに対して、「Ｆｏｒｗａｒｄ  Ｒｅｌｏｃａｔｉｏｎ  Ｃｏｍｐｌｅｔｅ  Ｎｏｔｉｆｉｃａｔｉｏｎ」を送信し、ＳＧＳＮは、ＭＭＥに対して、「Ｆｏｒｗａｒｄ  Ｒｅｌｏｃａｔｉｏｎ  Ｃｏｍｐｌｅｔｅ  Ａｃｋ」を送信する。
【０１０１】
ステップ１５において、ＭＭＥは、ＳＧＷに対して、「ｅＮＢ  ＩＰ  ａｄｄｒｅｓｓ」及び「ＴＥＩＤ」を含む「Ｍｏｄｉｆｙ  Ｂｅａｒｅｒ  Ｒｅｑｕｅｓｔ」を送信する。
【０１０２】
ここで、「ｅＮＢ  ＩＰ  ａｄｄｒｅｓｓ」は、ｅＮｏｄｅＢのＩＰアドレスを示し、「ＴＥＩＤ」は、移動局ＵＥ＃１と移動局ＵＥ＃２との間の音声通信における下り方向の音声信号を送信するためのトンネルに対して割り当てられたｅＮｏｄｅＢ側のＴＥＩＤを示す。
【０１０３】
ここで、ＳＧＷは、受信した「Ｍｏｄｉｆｙ  Ｂｅａｒｅｒ  Ｒｅｑｕｅｓｔ」に応じて、ＭＳＣサーバ/ＭＧＷとの間におけるＰＳベアラ＃１１を、ｅＮｏｄｅＢとの間におけるＰＳベアラ＃２１に切り替える。
【０１０４】
ステップ１６において、ＳＧＷは、ＭＭＥに対して、「Ｍｏｄｉｆｙ  Ｂｅａｒｅｒ  Ｒｅｓｐｏｎｓｅ」を送信する。
【０１０５】
ステップ１７において、ＳＧＳＮは、ＳＧＷに対して、「Ｄｅｌｅｔｅ  Ｉｎｄｉｒｅｃｔ  Ｄａｔａ  Ｆｏｒｗａｒｄｉｎｇ  Ｔｕｎｎｅｌ  Ｒｅｑｕｅｓｔ」を送信し、ステップ１８において、ＳＧＷは、ＳＧＳＮに対して、「Ｄｅｌｅｔｅ  Ｉｎｄｉｒｅｃｔ  Ｄａｔａ  Ｆｏｒｗａｒｄｉｎｇ  Ｔｕｎｎｅｌ  Ｒｅｓｐｏｎｓｅ」を送信する。
【０１０６】
本実施形態に係る移動通信システムによれば、ＣＳドメインで音声通信を開始する際に、ＳＧＷをアンカーポイントとして設定することで、実施している音声通信をＰＳドメインで実施するように切り替える際に、Ｉｎｔｅｒ-ＲＡＴハンドオーバの技術を用いることができ、音声通信の一時的な遮断を回避することができる。
【０１０７】
（本発明の第２の実施形態に係る移動通信システム）
図７及び図８を参照して、本発明の第２の実施形態に係る移動通信システムについて説明する。以下、本の実施形態に係る移動通信システムについて、上述の第１の実施形態に係る移動通信システムとの相違点に着目して説明する。
【０１０８】
図７に示すように、本実施形態に係る移動通信システムは、移動局ＵＥ＃１が、ＧＥＲＡＮ/ＵＴＲＡＮ配下のセルからＥ-ＵＴＲＡＮ配下のセルへのハンドオーバを行う際に、移動局ＵＥ＃１とＭＳＣサーバ/ＭＧＷとの間の区間におけるＣＳベアラ＃１１/＃１２の代わりに、移動局ＵＥ＃１とＭＳＣサーバ/ＭＧＷとの間の区間におけるＰＳベアラ＃２１/＃２２を用いて、移動局ＵＥ＃１と移動局ＵＥ＃２との間の音声通信を提供するように切り替える。
【０１０９】
以下、図８を参照して、本実施形態に係る移動通信システムにおける移動局ＵＥ＃１のＧＥＲＡＮ/ＵＴＲＡＮ配下のセルからＥ-ＵＴＲＡＮ配下のセルへのハンドオーバ手順について説明する。
【０１１０】
図８に示すように、基本的に、ステップ１乃至ステップ１８の動作は、図６に示すステップ１乃至ステップ１８の動作と同一である。
【０１１１】
ここで、ＳＧＷは、「Ｍｏｄｉｆｙ  Ｂｅａｒｅｒ  Ｒｅｑｕｅｓｔ」を受信した場合であっても、移動局ＵＥ＃１と移動局ＵＥ＃２との間の音声通信における下り方向の音声信号については、ｅＮｏｄｅＢに転送せずに、ＭＳＣサーバ/ＭＧＷに転送する。
【０１１２】
なお、図８において、ＳＧＳＮは、ステップ２及びステップ３において、ｅＮｏｄｅＢに対して、ＭＳＣサーバ/ＭＧＷのＩＰアドレス及びＴＥＩＤを送信し、ステップ１１において、ＰＳベアラ＃２２を確立したことにより、ＭＳＣサーバ/ＭＧＷに対して、上り方向のパケット信号を送信してもよい。
【０１１３】
かかる場合、ＭＳＣサーバ/ＭＧＷのＩＰアドレス及びＴＥＩＤは、図４におけるステップ１２及びステップ１３において、事前にＳＧＳＮへ通知されていてもよい。
【０１１４】
また、ステップ１５において、音声通信用ベアラを設定しない。すなわち、ＳＧＷは、ハンドオーバ手順の前と同様に、音声通信用のパケット信号のＭＳＣサーバ/ＭＧＷに対する転送を継続する。
【０１１５】
本実施形態に係る移動通信システムによれば、移動局ＵＥ＃１と移動局ＵＥ＃２との間の音声通信を行うドメインを、ＣＳドメインとＰＳドメインとの間で頻繁に切り替える場合の処理を簡素化することができる。
【０１１６】
（本発明の第３の実施形態に係る移動通信システム）
図９乃至図１１を参照して、本発明の第３の実施形態に係る移動通信システムについて説明する。以下、本の実施形態に係る移動通信システムについて、上述の第１の実施形態に係る移動通信システムとの相違点に着目して説明する。
【０１１７】
図９に示すように、本実施形態に係る移動通信システムは、移動局ＵＥ＃１が、ＧＥＲＡＮ/ＵＴＲＡＮ配下のセルからＥ-ＵＴＲＡＮ配下のセルへのハンドオーバを行う際に、移動局ＵＥ＃１とＭＳＣサーバ/ＭＧＷとの間の区間におけるＣＳベアラ＃１１/＃１２及びＭＳＣサーバ/ＭＧＷとＰＧＷとの間の区間におけるＰＳベアラ＃１１/＃１２の代わりに、移動局ＵＥ＃１とＰＧＷとの間の区間におけるＰＳベアラ＃２１/＃２２を用いて、移動局ＵＥ＃１と移動局ＵＥ＃２との間の音声通信を提供するように切り替える。
【０１１８】
第１に、図１０を参照して、本実施形態に係る移動通信システムにおける移動局ＵＥ＃１の発信手順について説明する。
【０１１９】
図１０に示すように、ステップ１乃至ステップ９の動作は、図４に示すステップ１乃至ステップ９の動作と同一である。
【０１２０】
ステップ１０において、ＰＧＷは、ＳＧＷに対して、「ＳＤＰ  ｒｅｌａｔｅｄ  ｉｎｆｏｒｍａｔｉｏｎ」と「ＭＧＷ  ＩＰ  ａｄｄｒｅｓｓ」と「Ｐｕｂｌｉｃ  Ｕｓｅｒ  Ｉｄｅｎｔｉｔｙ」と「Ｐ-ＧＷ  ＩＰ  ａｄｄｒｅｓｓ」と「ＴＥＩＤ」とを含む「Ｃｒｅａｔｅ  Ｂｅａｒｅｒ  Ｒｅｑｕｅｓｔ」を送信する。
【０１２１】
ここで、「Ｐ-ＧＷ  ＩＰ  ａｄｄｒｅｓｓ」は、ＰＧＷのＩＰアドレスを示し、「ＴＥＩＤ」は、移動局ＵＥ＃１と移動局ＵＥ＃２との間の音声通信における上り方向の音声信号を送信するためのトンネルに対して割り当てられたＰＧＷ側のＴＥＩＤを示す。
【０１２２】
なお、ＳＧＷは、受信した「ＭＧＷ  ＩＰ  ａｄｄｒｅｓｓ」及び「Ｐｕｂｌｉｃ  Ｕｓｅｒ  Ｉｄｅｎｔｉｔｙ」等に基づいて、ｒＳＲＶＣＣを実施することを判断する。
【０１２３】
ステップ１１において、ＳＧＷは、ＳＧＳＮに対して、「ＳＤＰ  ｒｅｌａｔｅｄ  ｉｎｆｏｒｍａｔｉｏｎ」と「ＭＧＷ  ＩＰ  ａｄｄｒｅｓｓ」と「Ｐｕｂｌｉｃ  Ｕｓｅｒ  Ｉｄｅｎｔｉｔｙ」と「Ｐ-ＧＷ  ＩＰ  ａｄｄｒｅｓｓ」と「ＴＥＩＤ」とを含む「Ｃｒｅａｔｅ  Ｂｅａｒｅｒ  Ｒｅｑｕｅｓｔ」を送信する。
【０１２４】
ここで、ＳＧＳＮは、受信した「ＭＧＷ  ＩＰ  ａｄｄｒｅｓｓ」及び「Ｐｕｂｌｉｃ  Ｕｓｅｒ  Ｉｄｅｎｔｉｔｙ」等に基づいて、ｒＳＲＶＣＣを実施することを判断する。
【０１２５】
ステップ１２において、ＳＧＳＮは、ＭＳＣサーバ/ＭＧＷに対して、「ＳＤＰ  ｒｅｌａｔｅｄ  ｉｎｆｏｒｍａｔｉｏｎ」と「Ｐｕｂｌｉｃ  Ｕｓｅｒ  Ｉｄｅｎｔｉｔｙ」と「Ｐ-ＧＷ  ＩＰ  ａｄｄｒｅｓｓ」と「ＴＥＩＤ」とを含む「Ｃｒｅａｔｅ  ＣＳ  Ｓｅｓｓｉｏｎ  Ｒｅｑｕｅｓｔ」を送信する。
【０１２６】
なお、ＭＳＣサーバ/ＭＧＷは、かかる「Ｐｕｂｌｉｃ  Ｕｓｅｒ  Ｉｄｅｎｔｉｔｙ」を用いて、ＣＳベアラ＃１１/＃１２とＰＳベアラ＃１１/＃１２との間のマッピングを行う。
【０１２７】
また、ＭＳＣサーバ/ＭＧＷは、「ＳＤＰ  ｒｅｌａｔｅｄ  ｉｎｆｏｒｍａｔｉｏｎ」内にあるＶｏＩＰ通信に用いられるコーデック情報より、必要に応じて、ＣＳベアラ＃１１/＃１２とＰＳベアラ＃１１/＃１２/＃１３との間のマッピングに必要なトランスコーダーを挿入する。
【０１２８】
ステップ１３において、ＭＳＣサーバ/ＭＧＷは、ＳＧＳＮに対して、「ＭＧＷ  ＩＰ  ａｄｄｒｅｓｓ」と「ＴＥＩＤ」とを含む「Ｃｒｅａｔｅ  ＣＳ  Ｓｅｓｓｉｏｎ  Ｒｅｓｐｏｎｓｅ」を送信する。
【０１２９】
ここで、「ＴＥＩＤ」は、移動局ＵＥ＃１と移動局ＵＥ＃２との間の音声通信における下り方向の音声信号を送信するためのトンネルに対して割り当てられたＭＳＣサーバ/ＭＧＷ側のＴＥＩＤである。
【０１３０】
ステップ１４において、ＳＧＳＮは、ＳＧＷに対して、「ＭＧＷ  ＩＰ  ａｄｄｒｅｓｓ」と「ＴＥＩＤ」とを含む「Ｃｒｅａｔｅ  ＣＳ  Ｓｅｓｓｉｏｎ  Ｒｅｓｐｏｎｓｅ」を送信する。
【０１３１】
ステップ１５において、ＳＧＷは、ＰＧＷに対して、「ＭＧＷ  ＩＰ  ａｄｄｒｅｓｓ」と「ＴＥＩＤ」とを含む「Ｃｒｅａｔｅ  ＣＳ  Ｓｅｓｓｉｏｎ  Ｒｅｓｐｏｎｓｅ」を送信する。
【０１３２】
この結果、ＭＳＣサーバ/ＭＧＷとＰＧＷとの間でＰＳベアラ＃１１が設定される。
【０１３３】
ステップ１６において、ＰＧＷは、ＰＣＲＦに対して、「Ａｃｋ」を送信し、ステップ１７において、ＰＣＲＦは、ＳＣＣ  ＡＳに対して、「Ａｃｋ」を送信し、ステップ１８において、ＳＣＣ  ＡＳは、移動局ＵＥ＃２に対して、「ＵＰＤＡＴＥ」を送信し、ステップ１９において、移動局ＵＥ＃２は、ＳＣＣ  ＡＳに対して、「２００  ＯＫ」を送信する。
【０１３４】
この結果、ＰＧＷと移動局ＵＥ＃２との間でＣＳベアラ＃１２が設定される。
【０１３５】
第２に、図１１を参照して、本実施形態に係る移動通信システムにおける移動局ＵＥ＃１のＧＥＲＡＮ/ＵＴＲＡＮ配下のセルからＥ-ＵＴＲＡＮ配下のセルへのハンドオーバ手順について説明する。
【０１３６】
図１１に示すように、ステップ１乃至ステップ１４の動作は、図６に示すステップ１乃至ステップ１４の動作と同一である。
【０１３７】
ステップ１５において、ＭＭＥは、ＳＧＷに対して、「Ｍｏｄｉｆｙ  Ｂｅａｒｅｒ  Ｒｅｑｕｅｓｔ」を送信し、ステップ１６において、ＳＧＷは、ＰＧＷに対して、「Ｍｏｄｉｆｙ  Ｂｅａｒｅｒ  Ｒｅｑｕｅｓｔ」を送信し、ステップ１７において、ＰＧＷは、ＳＧＷに対して、「Ｍｏｄｉｆｙ  Ｂｅａｒｅｒ  Ｒｅｓｐｏｎｓｅ」を送信し、ステップ１８において、ＳＧＷは、ＭＭＥに対して、「Ｍｏｄｉｆｙ  Ｂｅａｒｅｒ  Ｒｅｓｐｏｎｓｅ」を送信する。
【０１３８】
この結果、ＰＧＷとＳＧＷとの間でＰＳベアラ＃２１Ａが設定され、ＳＧＷとｅＮｏｄｅＢとの間でＰＳベアラ＃２１Ｂが設定される。
【０１３９】
ここで、ＰＧＷは、ＭＳＣサーバ/ＭＧＷとの間におけるＰＳベアラ＃１１を、ＰＳベアラ＃２１Ａ/＃２１Ｂに切り替える。
【０１４０】
ステップ１９において、ＳＧＳＮは、ＳＧＷに対して、「Ｄｅｌｅｔｅ  Ｉｎｄｉｒｅｃｔ  Ｄａｔａ  Ｆｏｒｗａｒｄｉｎｇ  Ｔｕｎｎｅｌ  Ｒｅｑｕｅｓｔ」を送信し、ステップ２０において、ＳＧＷは、ＳＧＳＮに対して、「Ｄｅｌｅｔｅ  Ｉｎｄｉｒｅｃｔ  Ｄａｔａ  Ｆｏｒｗａｒｄｉｎｇ  Ｔｕｎｎｅｌ  Ｒｅｓｐｏｎｓｅ」を送信する。
【０１４１】
以上に述べた本実施形態の特徴は、以下のように表現されていてもよい。
【０１４２】
本実施形態の第１の特徴は、回線交換通信をサポートしていないＬＴＥ方式（第１通信方式）の無線アクセスシステム（Ｅ-ＵＴＲＡＮ）と、Ｅ-ＵＴＲＡＮを収容する移動伝達ネットワークと、回線交換通信をサポートしている２Ｇ/３Ｇ方式（第２通信方式）の無線アクセスシステム（ＧＥＲＡＮ/ＵＴＲＡＮ）と、ＧＥＲＡＮ/ＵＴＲＡＮを収容する２Ｇ/３Ｇ方式のコアネットワークとを具備する移動通信システムであって、ＧＥＲＡＮ/ＵＴＲＡＮ配下のセルに在圏する移動局ＵＥ＃１（第１移動局）とＭＳＣサーバ/ＭＧＷ（コアネットワーク内のサーバ装置）との間の区間におけるＣＳベアラ（回線交換通信用ベアラ）及びＭＳＣサーバ/ＭＧＷと移動局ＵＥ＃２（第２移動局）との間の区間におけるＰＳベアラ（パケット交換通信用ベアラ）を用いて、移動局ＵＥ＃１と移動局ＵＥ＃２との間の音声通信を提供するように構成されていることを要旨とする。
【０１４３】
本実施形態の第１の特徴において、移動局ＵＥ＃１が、ＧＥＲＡＮ/ＵＴＲＡＮ配下のセルからＥ-ＵＴＲＡＮ配下のセルへのハンドオーバを行う際に、移動局ＵＥ＃１とＭＳＣサーバ/ＭＧＷとの間の区間におけるＣＳベアラ及びＭＳＣサーバ/ＭＧＷとＳＧＷ/ＰＧＷ（移動伝達ネットワーク内のゲートウェイ装置）との間の区間におけるＰＳベアラの代わりに、移動局ＵＥ＃１とＳＧＷ/ＰＧＷとの間の区間におけるＰＳベアラを用いて、移動局ＵＥ＃１と移動局ＵＥ＃２との間の音声通信を提供するように切り替えてもよい。
【０１４４】
本実施形態の第１の特徴において、移動局ＵＥ＃１が、ＧＥＲＡＮ/ＵＴＲＡＮ配下のセルからＥ-ＵＴＲＡＮ配下のセルへのハンドオーバを行う際に、移動局ＵＥ＃１とＭＳＣサーバ/ＭＧＷとの間の区間におけるＣＳベアラの代わりに、移動局ＵＥ＃１とＭＳＣサーバ/ＭＧＷとの間の区間におけるＰＳベアラを用いて、移動局ＵＥ＃１と移動局ＵＥ＃２との間の音声通信を提供するように切り替えてもよい。
【０１４５】
本実施形態の第１の特徴において、移動局ＵＥ＃１の位置登録手順において、所定条件を満たすと判定された場合にのみ、上述のＣＳベアラ及びＰＳベアラを用いて、移動局ＵＥ＃１と移動局ＵＥ＃２との間の音声通信を提供するように構成されていてもよい。
【０１４６】
本実施形態の第２の特徴は、Ｅ-ＵＴＲＡＮと、Ｅ-ＵＴＲＡＮを収容する移動伝達ネットワークと、ＧＥＲＡＮ/ＵＴＲＡＮと、ＧＥＲＡＮ/ＵＴＲＡＮを収容する２Ｇ/３Ｇ方式のコアネットワークとを具備する移動通信システムにおいて、２Ｇ/３Ｇ方式のコアネットワーク内に設けられているＭＳＣサーバ/ＭＧＷであって、ＧＥＲＡＮ/ＵＴＲＡＮ配下のセルに在圏する移動局ＵＥ＃１との間の区間におけるＣＳベアラ及び移動局ＵＥ＃２との間の区間におけるＰＳベアラを用いて、移動局ＵＥ＃１と移動局ＵＥ＃２との間の音声通信を提供するように構成されていることを要旨とする。
【０１４７】
本実施形態の第２の特徴において、移動局ＵＥ＃１が、ＧＥＲＡＮ/ＵＴＲＡＮ配下のセルからＥ-ＵＴＲＡＮ配下のセルへのハンドオーバを行う際に、移動局ＵＥ＃１との間の区間におけるＣＳベアラの代わりに、移動局ＵＥ＃１との間の区間におけるＰＳベアラを用いて、移動局ＵＥ＃１と移動局ＵＥ＃２との間の音声通信を提供するように切り替えてもよい。
【０１４８】
なお、上述のＭＳＣサーバ/ＭＧＷ、ＭＭＥ、ＳＧＷ、ＰＧＷ、ＣＳＣＦ、ＳＣＣ  ＡＳ、ＰＣＲＦ、ＳＧＳＮ、ＭＳＣ、ｅＮｏｄｅＢ、ＲＮＣ、移動局ＵＥの動作は、ハードウェアによって実施されてもよいし、プロセッサによって実行されるソフトウェアモジュールによって実施されてもよいし、両者の組み合わせによって実施されてもよい。
【０１４９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１５０】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ＭＳＣサーバ/ＭＧＷ、ＭＭＥ、ＳＧＷ、ＰＧＷ、ＣＳＣＦ、ＳＣＣ  ＡＳ、ＰＣＲＦ、ＳＧＳＮ、ＭＳＣ、ｅＮｏｄｅＢ、ＲＮＣ、移動局ＵＥ内に設けられていてもよい。また、かかる記憶媒体及びプロセッサは、ディスクリートコンポーネントとしてＭＳＣサーバ/ＭＧＷ、ＭＭＥ、ＳＧＷ、ＰＧＷ、ＣＳＣＦ、ＳＣＣ  ＡＳ、ＰＣＲＦ、ＳＧＳＮ、ＭＳＣ、ｅＮｏｄｅＢ、ＲＮＣ、移動局ＵＥ内に設けられていてもよい。
【０１５１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１５２】
ＵＥ＃１、ＵＥ＃２…移動局
ｅＮｏｄｅＢ、ＲＮＣ、ＢＳＳ…無線アクセスネットワーク装置
ＭＳＣ…回線交換機
ＳＧＳＮ…パケット交換機
ＳＧＷ、ＰＧＷ…ゲートウェイ装置
ＭＭＥ…移動管理ノード
【図１】
2011233987.tif 000003
【図２】
2011233987.tif 000004
【図３】
2011233987.tif 000005
【図４】
2011233987.tif 000006
【図５】
2011233987.tif 000007
【図６】
2011233987.tif 000008
【図７】
2011233987.tif 000009
【図８】
2011233987.tif 000010
【図９】
2011233987.tif 000011
【図１０】
2011233987.tif 000012
【図１１】
2011233987.tif 000013
【図１２】
2011233987.tif 000014